(57)【要約】      （修正有）【課題】従来のハンガージョイントを簡素化して安価に製造できるように既成のボルト・ナットと座金やセパレータで組立てられる、ハンガージョイント。【解決手段】ボルト１に座金３と複数のパイプ型セパレータ４ａ、座金と同径のパイプ型セパレータ４ｂをセットし、ボルト１の先端にナット２ａを設けた構造のハンガージョイント。【選択図】図３
2006241955.tif 000002
【特許請求の範囲】
【請求項１】
ボルト１に座金３とパイプ型セパレータ４ａを複数セットして長ナット２ａで締めつけたハンガージョイント
【発明の詳細な説明】
【技術分野】
【０００１】本発明は小規模建築用、木質ラーメン構造の抵抗モーメント仕口用接合金物に関するものである。
【背景技術】
【０００２】従来の木質ラーメン構造の抵抗モーメント仕口用接合金物には
１．鋼板添え板挿入型接合タイプ用接合金物
２．合わせ梁＋ファスナー型接合タイプ用接合金物
３．引っ張りボルト型接合タイプ用接合金物などがあり引っ張りボルト型のハンガージョイントとジョイントボックスには下記のような文献がある。
【特許文献１】特開２００３−２６１９８３（引張雇い柄）の柄と箱
【特許文献２】実願２００３−２７１６４１（木造門型ラーメン）の柄と箱
【特許文献３】特願２００３−３５８００９（木造門型ラーメンフレーム）の柄
【特許文献４】特許３６２５４６８（中脚構造及び柱と横架材との接続構造並びにフレーム構造）のハンガージョイントとジョイントボックス
【特許文献５】特許３６２７７５３（柱と横架材との接続構造並びにフレーム構造）のハンガージョイント
【特許文献１】意願平５−４００４３（建築用接合金具）のハンガージョイントとジョイントボックス
【非特許文献１】住友林業株式会社のビッグフレーム構法のフィンボルトとジョイントボックス
【非特許文献１】株式会社石森屋木材のＳＰＣ工法等のフィンボルトとジョイントボックスを使用した接合金物等がある
【発明の開示】
【発明が解決しようとする課題】
【０００３】従来の木質ラーメン構造の抵抗モーメント仕口に使用する接合金物：柄又はドリフトピンタイプのハンガージョイント又はフィンボルトタイプのハンガージョイントには、下記のような欠点があった。
接合金物、柄又はドリフトピンタイプのハンガージョイントは丸鋼の外周面にドリフトピン用の穴を設けたり窪みを設け、フィンボルトタイプのハンガージョイントには丸鋼の外周面に螺子を設けて、両タイプ共、丸鋼の端部にボルト接続用の雌螺子を設けているし、ジョイントボックスは、鋼鈑４面で箱型を形成し此れに柄やハンガージョイント・フィンボルト接続用のボルト穴を設けている。
１．ドリフトピンタイプの柄又はハンガージョイントは丸鋼の頂点から外れた外周面にドリフトピン用の穴を設けるには丸鋼の外周が円になっているので高度の技術者と高度な工作機械が要る。
２．丸鋼の外周面にドリフトピン用の窪みを設けるには、フライス盤か、鍛造で生産するのでフライス盤や鍛造の大掛りな設備と金型がいる。
３．柄又はドリフトピンタイプのハンガージョイントは丸鋼の外周面にドリフトピン用の穴を設けたり窪みを設ける構造だから抵抗モーメント接合部仕口部分のばらつき係数をコントロール出来ない。
４．柄又はドリフトピンタイプのハンガージョイントは丸鋼の外周面にドリフトピン用の穴を設けたり窪みを設ける構造だからドリフトピンは丸鋼しか使用出来ない。
５．フィンボルトタイプのハンガージョインは丸鋼の外周面に木部固定用の雄角螺子を設けなければならないし更に柱と横架材にも雌の角螺子を設けなければならないので高度な技術者と旋盤等の大掛かりな工作機械が要るし加工工期も長くなる。
６．ジョイトボックスは鋼鈑を箱型に加工してボルト接続用の穴を設けているのでアングルを対角状に溶接して箱型にするか鋼鈑を箱型に折り曲げ鋼鈑の接点を溶接したり、鋼鈑の角どうしを溶接して箱型にするので溶接器とドリルがいる。
【課題を解決する為の手段】
【０００７】本発明は、以上のような課題を解決する為に、ボルト１に座金３とセパレータ４をセットしてボルト１の先端にナット２を設けたけた構造のハンガージョイント５。
【発明の効果】
【０００８】本発明のハンガージョイントは、ボルト１に座金３とセパレータ４をセットしてボルト１の先端にナット２を設けた簡単な構造で、木質構造の抵抗モーメント接合金物のハンガージョイントと同じ機能を発揮するし下記のような利点がある。
１．  従来のドリフトピンタイプの柄又はハンガージョイントの様に、丸鋼の外周面にドリフトピン用の穴を設ける方法と異なり規制品のボルトや座金等で組み立てるだけだから家内工業で対処できる。
２．  ハンガージョイントには丸鋼の外周面にドリフトピン用の窪みを設ける必要がないので、フライス盤や、鍛造で生産する鍛造の等の大掛りな設備と金型が要らない
３．  柄又はドリフトピンタイプのハンガージョイントは丸鋼の外周面にドリフトピン用の穴を設けたり窪みを設けて此れにドリフトピを引っ掛ける構造だが、本発明のハンガージョイントは、座金にドリフトピンを掛ける構造にしているので座金の厚さや許度を変える事により抵抗モーメント接合部仕口のばらつき係数を調整できる。
４．  座金とパイプ型セパレータは直角に接続しているので角型のドリフトピンが使用できる。
５．  フィンボルトタイプのハンガージョイントの様に丸鋼の外周面に木部固定用の角螺子を設ける必要がないので高度な技術者と旋盤や大掛りな工作機械が要らない等の利点がある。
【発明を実施するための最良の形態】
【０００９】ボルト１に座金３とセパレータ４ａをセットしてボルト１の先端に長ナット２ａを設けた構造のハンガージョイント５。
【実施例１】図１は本発明のボルト１に座金３とパイプ型セパレータ４ａをセットしてボルト１の先端に、長ナット２ａを締設けた構造のハンガージョイント５の平面及び側面図。
【実施例２】図２は本発明のボルト１に座金３とパイプ型セパレータ４ａを複数セットしてボルト１の先端に長ナット２ａを締めつけた構造のハンガージョイント５の平面及び側面図。
図３は本発明のボルト１に座金３とパイプセ型パレータ４ａを複数セットして更に座金外形と同径のパイプセパレータ４ｂを、加えてボルト１の先端に長ナット２ａを設けた構造のハンガージョイント５の平面及び側面図。
【実施例４】図４は本発明のドリフトピンタイプのハンガージョイントボックスの接続用穴７に接続用ボルト１ａを挿入してナット２で緊結した木質ラーメン構造仕口用抵抗モーメント接合金物の側面図。
【実施例５】図５は本発明のドリフトピンタイプのハンガージョイント５とジョイントボックス６をボルト１ａで緊結した実施設例４の接合金物に接続用穴７にアンカーボルト８を挿入して基礎９にナット２で緊結した柱脚と基礎の緊結使用例の垂直断側面図。
【実施例６】図６は横架材１１の穴１２にハンガージョイント５を挿入してドリフトピン１３で固定した横架材１１のハンガージョイント５を柱１０の穴１２に挿入してドリフトピン１３で固定して此れを接続ボルト１ａとナット２で柱のハンガージョイント５にセットして柱１０に横架材１１を緊結し更にハンガージョイントボックスをドリフトぴん１３で固定した横架材１１をボルト１ａに座金３とナット２で柱１０に緊結させた柱勝ち木質ラーメン仕口用抵抗モーメント接合金物使用例の垂直断面図。
【実施例７】図７は本発明のドリフトピンタイプのハンガージョイント５とハンガージョイント５を接続ボルト１ａで緊結し下部柱１０と横架材１１と上部柱１０の穴に挿入しドリフトピン１３で緊結した梁勝ち木質ラーメン構造仕口用抵抗モーメント接合金物使用例の垂直断面図。
【産業上の利用可能性】
【０００１】１．  木質ラーメン構造の柱脚にドリフトピンでハンガージョイントとジョイントボックスをセットし此れを基礎のアンカーボルトに接続してナットで緊結すると柱脚の応力を基礎に伝達できる。
２．  木質ラーメン構造の柱頭に接続する横架材にハンガージョイントとジョイントボックスをセットしボルト・ナット及びドリフトピンで柱に緊結すると柱頭の抵抗モーメントの曲げモーメントと剪断力を処理できる。
３．  ハンガージョイントの構造が簡単だから既製品のボルト・ナットと座金及びパイプで安価に製造出きる。
【図面の簡単な説明】
【０００１】
【図１】本発明のハンガージョイントでボルトと座金で引張応力を負担できる構造の仕口金物の、実施例１の平面及び側面図の説明図である
【図２】本発明のハンガージョイントのボルト及び座金とパイプ型セパレータを複数設けて引張応力を負担できる構造の仕口金物の、実施例２の平面及び側面図。
【図３】本発明実施例２のハンガージョイントにパイプセパレータを座金と同径のパイプセパレーを加えて柱と横架材の接合部の曲げモーメントとせん断力を負担できる構造の仕口金物の、実施例３の平面及び側面図。
【図４】本発明のハンガージョイントとボックスジョイントを接続ボルトで緊結させたハンガージョイントボックスの実施例４の平面図。
【図５】本発明のハンガージョイントボックスをアンカーボルトで基礎に緊結させた、実施例５の垂直断面図。
【図６】本発明のハンガージョイントボックスを接続ボルトとナットで更にハンガージョイントと接続ボルト及びナットで柱に横架材を緊結させた柱勝ち木質ラーメン仕口用抵抗モーメント接合金物使用例の実施例６の垂直断面図
【図７】本発明のハンガージョイントとハンガージョイントを接続ボルトとナットで柱と横架材を緊結させた梁勝ち木質ラーメン構造仕口用抵抗モーメント接合金物使用例実施例７の垂直断面図。
【符号の説明】
【０００１】１．ボルト
１ａ．接続ボルト
２．ナット
２ａ．長ナット
３．座金
４．セパレータ
４ａ．パイプセパレータ
４ｂ．座金同径パイプセパレータ
５．ハンガージョイント
６．ボックスジョイト
７．接続用穴
８．アンカーボルト
９．基礎
１０．柱
１１．横架材
１２．穴
１３．ドリフトピン
【図１】
2006241955.tif 000003
【図２】
2006241955.tif 000004
【図３】
2006241955.tif 000005
【図４】
2006241955.tif 000006
【図５】
2006241955.tif 000007
【図６】
2006241955.tif 000008
【図７】
2006241955.tif 000009
【手続補正書】
【提出日】平成17年5月26日(2005.5.26)
【手続補正１】
【補正対象書類名】明細書
【補正対象項目名】全文
【補正方法】変更
【補正の内容】
【発明の詳細な説明】
【技術分野】
【０００１】本発明は小規模建築用、木質ラーメン構造の抵抗モーメント仕口用接合金物に関するものである。
【背景技術】
【０００２】従来の木質ラーメン構造の抵抗モーメント仕口用接合金物には
１．鋼板添え板挿入型接合タイプ用接合金物
２．合わせ梁＋ファスナー型接合タイプ用接合金物
３．引っ張りボルト型接合タイプ用接合金物などがあり引っ張りボルト型のハンガージョイントとジョイントボックスには下記のような文献がある。
2006241955.tif 000010
【特許文献４】特許３６２５４６８（中脚構造及び柱と横架材との接続構造並びにフレーム構造）のハンガージョイントとジョイントボックス
【特許文献５】特許３６２７７５３（柱と横架材との接続構造並びにフレーム構造）のハンガージョイント
【特許文献１】意願平５−４００４３（建築用接合金具）のハンガージョイントとジョイントボックス
【非特許文献１】住友林業株式会社のビッグフレーム構法のフィンボルトとジョイントボックス
【非特許文献１】株式会社石森屋木材のＳＰＣ工法等のフィンボルトとジョイントボックスを使用した接合金物等がある
【発明の開示】
【発明が解決しようとする課題】
【０００３】
2006241955.tif 000011
フトピンタイプのハンガージョイント又はフィンボルトタイプのハンガージョイントには、下記のような欠点があった。
2006241955.tif 000012
リフトピン用の穴を設けたり窪みを設け、フィンボルトタイプのハンガージョイントには丸鋼の外周面に螺子を設けて、両タイプ共、丸鋼の端部にボルト接続用の雌螺子を設けているし、ジョイントボックスは、鋼鈑４面で箱型を形成し此れ
2006241955.tif 000013
周面にドリフトピン用の穴を設けるには丸鋼の外周が円になっているので高度の技術者と高度な工作機械が要る。
２．丸鋼の外周面にドリフトピン用の窪みを設けるには、フライス盤か、鍛造で生産するのでフライス盤や鍛造の大掛りな設備と金型がいる。
2006241955.tif 000014
ピン用の穴を設けたり窪みを設ける構造だから抵抗モーメント接合部仕口部分のばらつき係数をコントロール出来ない。
2006241955.tif 000015
ピン用の穴を設けたり窪みを設ける構造だからドリフトピンは丸鋼しか使用出来ない。
５．フィンボルトタイプのハンガージョイントは丸鋼の外周面に木部固定用の雄角螺子を設けなければならないし更に柱と横架材にも雌の角螺子を設けなければならないので高度な技術者と旋盤等の大掛かりな工作機械が要るし加工工期も長くなる。
６．ジョイトボックスは鋼鈑を箱型に加工してボルト接続用の穴を設けているのでアングルを対角状に溶接して箱型にするか鋼鈑を箱型に折り曲げ鋼鈑の接点を溶接したり、鋼鈑の角どうしを溶接して箱型にするので溶接器とドリルがいる。
【課題を解決する為の手段】
【０００４】本発明は、以上のような課題を解決する為に、ボルト１に座金３とセパレータ４をセットしてボルト１の先端にナット２を設けたけた構造のハンガージョイント５。
【発明の効果】
【０００５】本発明のハンガージョイントは、ボルト１に座金３とセパレータ４をセットしてボルト１の先端にナット２を設けた簡単な構造で、木質構造の抵抗モーメント接合金物のハンガージョイントと同じ機能を発揮するし下記のような利点がある。
2006241955.tif 000016
周面にドリフトピン用の穴を設ける方法と異なり規制品のボルトや座金等で組み立てるだけだから家内工業で対処できる。
２．ハンガージョイントには丸鋼の外周面にドリフトピン用の窪みを設ける必要がないので、フライス盤や、鍛造で生産する鍛造の等の大掛りな設備と金型が要らない
2006241955.tif 000017
トピン用の穴を設けたり窪みを設けて此れにドリフトピを引っ掛ける構造だが、本発明のハンガージョイントは、座金にドリフトピンを掛ける構造にしているので座金の厚さや強度を変える事により抵抗モーメント接合部仕口のばらつき係数を調整できる。
４．座金とパイプ型セパレータは直角に接続しているので角型のドリフトピンが使用できる。
５．フィンボルトタイプのハンガージョイントの様に丸鋼の外周面に木部固定用の角螺子を設ける必要がないので高度な技術者と旋盤や大掛りな工作機械が要らない等の利点がある。
【発明を実施するための最良の形態】
【０００６】ボルト１に座金３とセパレータ４ａをセットしてボルト１の先端に長ナット２ａを設けた構造のハンガージョイント５。
【実施例１】図１は本発明のボルト１に座金３とパイプ型セパレータ４ａをセットしてボルト１の先端に、長ナット２ａを設けた構造のハンガージョイント５の平面及び側面図。
【実施例２】図２は本発明のボルト１に座金３とパイプ型セパレータ４ａを複数セットしてボルト１の先端に長ナット２ａを締めつけた構造のハンガージョイント５の平面及び側面図。
図３は本発明のボルト１に座金３とパイプセ型パレータ４ａを複数セットして更に座金外形と同径のパイプセパレータ４ｂを、加えてボルト１の先端に長ナット２ａを設けた構造のハンガージョイント５の平面及び側面図。
【実施例４】図４は本発明のドリフトピンタイプのハンガージョイントボックスの接続用穴７に接続用ボルト１ａを挿入してナット２で緊結した木質ラーメン構造仕口用抵抗モーメント接合金物の側面図。
【実施例５】図５は本発明のドリフトピンタイプのハンガージョイント５とジョイントボックス６をボルト１ａで緊結した実施例４の接合金物に接続用穴７にアンカーボルト８を挿入して基礎９にナット２で緊結した柱脚と基礎の緊結使用例の垂直断側面図。
【実施例６】図６は横架材１１の穴１２にハンガージョイント５を挿入してドリフトピン１３で固定した横架材１１のハンガージョイント５を柱１０の穴１２に挿入してドリフトピン１３で固定して此れを接続ボルト１ａとナット２で柱のハンガージョイント５にセットして柱１０に横架材１１を緊結し更にハンガージョイントボックスをドリフトぴん１３で固定した横架材１１をボルト１ａに座金３とナット２で柱１０に緊結させた柱勝ち木質ラーメン仕口用抵抗モーメント接合金物使用例の垂直断面図。
【実施例７】図７は本発明のドリフトピンタイプのハンガージョイント５とハンガージョイント５を接続ボルト１ａで緊結し下部柱１０と横架材１１と上部柱１０の穴に挿入しドリフトピン１３で緊結した梁勝ち木質ラーメン構造仕口用抵抗モーメント接合金物使用例の垂直断面図。
【産業上の利用可能性】
【０００７】１．木質ラーメン構造の柱脚にドリフトピンでハンガージョイントとジョイントボックスをセットし此れを基礎のアンカーボルトに接続してナットで緊結すると柱脚の応力を基礎に伝達できる。
２．木質ラーメン構造の柱頭に接続する横架材にハンガージョイントとジョイントボックスをセットしボルト・ナット及びドリフトピンで柱に緊結すると柱頭の抵抗モーメントの曲げモーメントと剪断力を処理できる。
３．ハンガージョイントの構造が簡単だから既製品のボルト・ナットと座金及びパイプで安価に製造出きる。
【図面の簡単な説明】
【０００８】
【図１】本発明のハンガージョイントでボルトと座金で引張応力を負担できる構造の仕口金物の、実施例１の平面及び側面図の説明図である
【図２】本発明のハンガージョイントのボルト及び座金とパイプ型セパレータを複数設けて引張応力を負担できる構造の仕口金物の、実施例２の平面及び側面図。
【図３】本発明実施例２のハンガージョイントにパイプセパレータを座金と同径のパイプセパレーを加えて柱と横架材の接合部の曲げモーメントとせん断力を負担できる構造の仕口金物の、実施例３の平面及び側面図。
【図４】本発明のハンガージョイントとボックスジョイントを接続ボルトで緊結させたハンガージョイントボックスの実施例４の平面図。
【図５】本発明のハンガージョイントボックスをアンカーボルトで基礎に緊結させた、実施例５の垂直断面図。
【図６】本発明のハンガージョイントボックスを接続ボルトとナットで更にハンガージョイントと接続ボルト及びナットで柱に横架材を緊結させた柱勝ち木質ラーメン仕口用抵抗モーメント接合金物使用例の実施例６の垂直断面図
【図７】本発明のハンガージョイントとハンガージョイントを接続ボルトとナットで柱と横架材を緊結させた梁勝ち木質ラーメン構造仕口用抵抗モーメント接合金物使用例実施例７の垂直断面図。
【符号の説明】
【０００９】１．ボルト
１ａ．接続ボルト
２．ナット
２ａ．長ナット
３．座金
４．セパレータ
４ａ．パイプセパレータ
４ｂ．座金同径パイプセパレータ
５．ハンガージョイント
６．ボックスジョイト
７．接続用穴
８．アンカーボルト
９．基礎
１０．柱
１１．横架材
１２．穴
１３．ドリフトピン